(57)【要約】本発明は、節電モード時における消費電力の少ないディスプレイ装置および節電制御装置を提供することを目的とし、コンピュータ本体２００に接続されて画像表示を行うディスプレイ装置１００に電源を供給する電源供給部１１０と、画像信号に基づき画像表示を行う表示部１２０と、同期信号に基づいて、電源供給部１１０がオン状態にある通電モードと、電源供給部１１０がオフ状態にある節電モードとの切換えを制御する節電制御部１３０と、コンピュータ本体２００から供給される周辺機器用の補助電源によって駆動され、同期信号に基づいて、節電モードから通電モードへ復帰するか否かを節電制御部１３０に替わって判定し、通電モードへ復帰すると判定した場合に、少なくとも節電制御部１３０をオン状態に復帰させる、節電制御部１３０よりも消費電力が少ない節電終了判定回路１４０とを備えている。
2004001716.tif 000002
【特許請求の範囲】
【請求項１】
コンピュータ本体に接続されて画像表示を行うディスプレイ装置において、
このディスプレイ装置に電源を供給する電源供給部と、
前記コンピュータ本体から供給される画像信号に基づき画像表示を行う表示部と、
前記画像信号に含まれる同期信号に基づいて、前記電源供給部がオン状態にある通電モードと、該電源供給部がオフ状態にある節電モードとの切換えを制御する節電制御部と、
前記コンピュータ本体から供給される周辺機器用の補助電源によって駆動され、前記同期信号に基づいて、前記節電モードから前記通電モードへ復帰するか否かを判定し、前記通電モードへ復帰すると判定した場合に、少なくとも前記節電制御部をオン状態に復帰させる、該節電制御部よりも消費電力が少ない節電終了判定回路とを備えたことを特徴とするディスプレイ装置。
【請求項２】
前記節電終了判定回路は、前記通電モードへ復帰すると判定した場合に、前記電源供給部をオフ状態に維持したまま前記節電制御部を前記補助電源によってオン状態に復帰させるものであり、
前記節電制御部は、前記補助電源によってオン状態に復帰された場合に、前記同期信号に基づいて、前記節電モードから前記通電モードへ復帰するか否かを改めて判定し、前記通電モードへ復帰すると判定した場合には、前記電源供給部をオン状態に復帰させ、前記節電モードを継続すると判定した場合には、該補助電源によるオン状態への復帰を取り消すものであることを特徴とする請求項１記載のディスプレイ装置。
【請求項３】
コンピュータ本体から供給される画像信号に基づき画像表示を行う表示部と、電源を供給する電源供給部とを有するディスプレイ装置に用いられ、前記電源供給部がオン状態にある通電モードと、前記電源供給部がオフ状態にある節電モードとの切換えを制御する節電制御装置において、
前記同期信号に基づいて、前記通電モードと前記節電モードとの切換えを制御する節電制御部と、
前記コンピュータ本体から供給される周辺機器用の補助電源によって駆動され、前記同期信号に基づいて、前記節電モードから前記通電モードへ復帰するか否かを前記節電制御部に替わって判定し、前記通電モードへ復帰すると判定した場合に、少なくとも前記節電制御部をオン状態に復帰させる、前記節電制御部よりも消費電力が少ない節電終了判定回路とを備えたことを特徴とする節電制御装置。
【発明の詳細な説明】
【技術分野】  本発明は、コンピュータ本体に接続されて画像表示を行うディスプレイ装置およびディスプレイ装置に用いられる節電制御装置に関する。
【背景技術】  従来、コンピュータ本体に接続されて画像表示を行うディスプレイ装置において、ディスプレイ装置の電源が投入されてから所定時間経過後もコンピュータが使用されなかった場合に、ディスプレイ装置を消費電力の少ない節電モードに移行させることにより省電力化を図ったディスプレイ装置が実用化されている。
しかし、従来のディスプレイ装置では、節電モード時においても、通常、５Ｗ〜３Ｗ程度の電力を消費するものが普通である。
しかし、最近、環境保全、資源保護の見地からディスプレイ装置の節電時の消費電力を１Ｗ以下に低減させようという気運が世界的にも高まりつつあるが、次のような事情から現状ではその実現は難しい。
現状のディスプレイ装置では、表示パラメータの制御、画面調整機能ボタン入力信号の検出等、最適表示画面を表示するための重要な機能を合わせ持つマイクロコンピュータが用いられており、このマイクロコンピュータを中心とする節電制御回路により節電モードの制御を行わせている。
そのため、節電モード時においてもマイクロコンピュータを中心とする節電制御回路への電源供給が必要であり、そのため、現状では最低約５Ｗ〜３Ｗ程度の電力消費は避けられない。
本発明は、上記事情に鑑み、節電モード時における消費電力の少ないディスプレイ装置およびそのディスプレイ装置に用いられる節電制御装置を提供することを目的とする。
【発明の開示】
上記目的を達成する本発明のディスプレイ装置は、
コンピュータ本体に接続されて画像表示を行うディスプレイ装置において、
このディスプレイ装置に電源を供給する電源供給部と、
上記コンピュータ本体から供給される画像信号に基づき画像表示を行う表示部と、
上記画像信号に含まれる同期信号に基づいて、上記電源供給部がオン状態にある通電モードと、電源供給部がオフ状態にある節電モードとの切換えを制御する節電制御部と、
上記コンピュータ本体から供給される周辺機器用の補助電源によって駆動され、上記同期信号に基づいて、上記節電モードから上記通電モードへ復帰するか否かを上記節電制御部に替わって判定し、上記通電モードへ復帰すると判定した場合に、少なくとも上記節電制御部をオン状態に復帰させる、上記節電制御部よりも消費電力が少ない節電終了判定回路とを備えたことを特徴とする。
本発明のディスプレイ装置によれば、節電終了判定回路が節電制御部に替わって通電モードへの復帰の指示を検出するので、従来、節電モード時でも電力を消費していた節電制御部は節電モード時には電力供給を必要とせず、従って、節電モード時のディスプレイ装置の消費電力を従来の方式よりも大幅に減少させることができる。
ここで、上記節電終了判定回路は、上記通電モードへ復帰すると判定した場合に、上記電源供給部をオフ状態に維持したまま上記節電制御部を上記補助電源によってオン状態に復帰させるものであり、
上記節電制御部は、上記補助電源によってオン状態に復帰された場合に、上記同期信号に基づいて、上記節電モードから上記通電モードへ復帰するか否かを改めて判定し、上記通電モードへ復帰すると判定した場合には、上記電源供給部をオン状態に復帰させ、上記節電モードを継続すると判定した場合には、補助電源によるオン状態への復帰を取り消すものであることが好ましい。
本発明のディスプレイ装置をこのように構成した場合は、節電終了判定のための回路に厳密な判定機能を持たせる必要がなく、簡単な回路で節電終了判定を行うことができる。
また、上記目的を達成する本発明の節電制御装置は、
コンピュータ本体から供給される画像信号に基づき画像表示を行う表示部と、電源を供給する電源供給部とを有するディスプレイ装置に用いられ、上記電源供給部がオン状態にある通電モードと、上記電源供給部がオフ状態にある節電モードとの切換えを制御する節電制御装置において、
上記同期信号に基づいて、上記通電モードと上記節電モードとの切換えを制御する節電制御部と、
上記コンピュータ本体から供給される周辺機器用の補助電源によって駆動され、上記同期信号に基づいて、上記節電モードから上記通電モードへ復帰するか否かを上記節電制御部に替わって判定し、上記通電モードへ復帰すると判定した場合に、少なくとも上記節電制御部をオン状態に復帰させる、上記節電制御部よりも消費電力が少ない節電終了判定回路とを備えたことを特徴とする。
本発明の節電制御装置によれば、節電終了判定回路が節電制御部に替わって通電モードへの復帰の指示を検出するので、従来、節電モード時でも電力を消費していた節電制御部は節電モード時には電力供給を必要とせず、従って、本発明の節電制御装置を用いたディスプレイ装置の節電モード時の消費電力を従来の方式よりも大幅に減少させることができる。
以上説明したように、本発明のディスプレイ装置および節電制御装置によれば、節電モード時における消費電力の少ないディスプレイ装置および節電制御装置を実現することができる。
【図面の簡単な説明】  図１は、本発明の一実施形態のディスプレイ装置が接続されたコンピュータシステムの概要図である。
図２は、本発明のディスプレイ装置の一実施形態を示す概略構成図である。
図３は、本実施形態のディスプレイ装置の回路図である。
図４は、本発明の節電制御装置の一実施形態を示す概略構成図である。
【発明を実施するための最良の形態】  以下、本発明の実施形態について説明する。
図１は、本発明の一実施形態のディスプレイ装置が接続されたコンピュータシステムの概要図である。
図１に示すように、このディスプレイ装置１００は、ディスプレイ信号ケーブル１０１によりコンピュータ本体２００に接続されて画像表示を行うものであり、交流電源ケーブル１０２を介して交流電源が供給される。
コンピュータ本体２００には、ディスプレイ装置１００の他に、操作者による指示をコンピュータ本体２００に伝えるためのキーボード２０１およびマウス２０２などが接続されている。
また、コンピュータ本体２００には交流電源ケーブル２０３を介して交流電源が供給される。
図２は、本発明のディスプレイ装置の一実施形態を示す概略構成図である。
図２に示すように、このディスプレイ装置１００は、コンピュータ本体２００に接続されて画像表示を行うディスプレイ装置であって、電源供給部１１０と、表示部１２０と、節電制御部１３０と、節電終了判定回路１４０とを備えている。
電源供給部１１０は、ディスプレイ装置１００に電源を供給するものであり、表示部１２０は、コンピュータ本体２００から供給される画像信号に基づき画像表示を行うものであり、節電制御部１３０は、上記同期信号に基づいて、電源供給部１１０がオン状態にある通電モードと、電源供給部１１０がオフ状態にある節電モードとの切換えを制御するものであり、節電終了判定回路１４０は、コンピュータ本体２００から供給される周辺機器用の補助電源によって駆動され、上記同期信号に基づいて、節電モードから通電モードへ復帰するか否かを節電制御部１３０に替わって判定する。
なお、本実施形態のディスプレイ装置１００では、節電終了判定回路１４０は、通電モードへ復帰すると判定した場合に、電源供給部１１０をオフ状態に維持したまま節電制御部１３０を補助電源によってオン状態に復帰させるものであり、節電制御部１３０は、補助電源によってオン状態に復帰された場合に、同期信号に基づいて、節電モードから通電モードへ復帰するか否かを改めて判定し、通電モードへ復帰すると判定した場合には、電源供給部１１０をオン状態に復帰させ、節電モードを継続すると判定した場合には、補助電源によるオン状態への復帰を取り消すものとして構成されている。
図３は、本実施形態のディスプレイ装置の回路図である。
図３に示すように、このディスプレイ装置１００には、交流電源入力用の交流入力端子１、交流電源をオン・オフする電源スイッチ２、交流電源を整流する整流器６、ディスプレイ装置の各部で用いられる各種制御電源を作成する電源作成部７、コンピュータ本体から供給される画像信号および周辺機器用の補助電源を受け取るＶＧＡ（Ｖｉｄｅｏ  Ｇｒａｐｈｉｃｓ  Ａｒｒａｙ）コネクタ９、ＶＧＡコネクタ９を介してコンピュータ本体から供給される、Ｒ（赤）、Ｇ（緑）、Ｂ（青）の各ビデオ信号、ＨＳ（水平同期信号）、およびＶＳ（垂直同期信号）からなる画像信号に基づき画像表示を行う表示部・表示制御部８、画像表示の表示モードおよびパラメータを設定し制御する表示モード・パラメータ設定制御部２４、同期信号に基づいて電源供給部１１０（図２参照）がオン状態にある通電モードと、電源供給部１１０がオフ状態にある節電モードとの切換えを制御する節電制御部２１、および節電終了判定回路１４０が備えられている。
なお、本実施形態では、周辺機用電源としてＶＧＡコネクタ９からの＋５Ｖ電源供給端子が組み込まれたものを使用している。
本実施形態では、説明の便宜上、上述した１種類の節電モードだけが存在するものとして以下説明する。
なお、このディスプレイ装置１００における交流入力端子１、電源スイッチ２、整流器６、および電源作成部７は、本発明にいう電源供給部の一例に相当するものであり、また、このディスプレイ装置１００における表示部・表示制御部８および表示モード・パラメータ設定制御部２４は、本発明にいう表示部の一例に相当するものである。
節電終了判定回路１４０は、第１のリレーｍｇ１のコイル３、第２のリレーｍｇ２のｂ接点４、第１のリレーｍｇ１のａ接点５、第１のフリップフロップ１０、第２のリレーｍｇ２のコイル１１、第１のトランジスタ１２、第１のＡＮＤゲート１３、ＯＲゲート１４、第２のフリップフロップ１５、第２のＡＮＤゲート１６、第３のフリップフロップ１７、第２のトランジスタ１８、第３のリレーｍｇ３のコイル１９、第３のリレーｍｇ３のａ接点２０、逆流防止ダイオード２２、および第３のリレーｍｇ３のｂ接点２３とから構成されている。
この節電終了判定回路１４０は、節電制御部１３０の消費電力よりも少ない消費電力で動作するよう構成されている。
なお、本実施形態のディスプレイ装置においては、第１のリレーｍｇ１、第２のリレーｍｇ２、および第３のリレーｍｇ３として、コイルと接点とを有する機械式リレーを用いている。
次に、本実施形態のディスプレイ装置の動作について説明する。
最初に、このディスプレイ装置１００の初期動作について説明する。ここで、“初期動作”とは、このディスプレイ装置１００がＶＧＡコネクタ９を介してコンピュータ本体と接続され、ディスプレイ装置１００の電源スイッチ２はオフの状態のままで、コンピュータ本体の電源が投入された場合のディスプレイ装置１００の動作をいう。
このディスプレイ装置１００には、コンピュータ本体からＶＧＡコネクタ９を介して、Ｒ（赤）、Ｇ（緑）、Ｂ（青）の各ビデオ信号、ＨＳ（水平同期信号）、およびＶＳ（垂直同期信号）からなる画像信号、および周辺機器用の＋５Ｖの補助電源が供給されるようになっており、電源供給部１１０がオフの状態でも節電終了判定回路１４０はＶＧＡコネクタ９を介して供給される補助電源により動作する。
節電終了判定回路１４０の第１のフリップフロップ１０は、節電制御部２１からの＊ＰＳＣＬ（パワーセーブクロック）信号を受信しない限りは、出力Ｑは０レベルに保たれるので、第１のトランジスタ１２および第２のリレーｍｇ２のコイル１１は動作せず、従って、第２のリレーｍｇ２のｂ接点４は閉じられたままである。ここで、＊ＰＳＣＬ信号とは、節電制御部２１が節電終了判定回路１４０の第１のフリップフロップ１０に対して、節電モードへの切換えの開始を指示する信号である。
節電終了判定回路１４０では、第１のフリップフロップ１０の出力Ｑと、ＶＧＡコネクタ９からのＶＳ（垂直同期信号）とが、第１のＡＮＤゲート１３に入力されるが、第１のフリップフロップ１０の出力Ｑは０レベルなので、第１のＡＮＤゲート１３の出力は０レベルとなり、この出力が第２のフリップフロップ１５のクロック端子ＣＬに入力される。そのため、第２のフリップフロップ１５の出力Ｑは０レベルとなり、この出力ＱとＶＧＡコネクタ９からのＨＳ（水平同期信号）が第２のＡＮＤゲート１６に入力され、その結果、０レベルの出力が１７フリツップフロップ３のクロック端子ＣＬに入力される。
その結果、第３のフリップフロップ１７の出力Ｑは０レベルとなるので、第２のトランジスタ１８および第３のリレーｍｇ３のコイル１９は動作しない。これにより、第３のリレーｍｇ３のａ接点２０は切断状態となり、第３のリレーｍｇ３のｂ接点２３は接続状態となるので、節電制御部２１は、第３のリレーｍｇ３のｂ接点２３を通して電源作成部７から電源供給を受けられる状態となる。
この初期動作においては、第３のフリップフロップ１７から出力された０レベルの節電復帰信号２５が節電制御部２１に入力される。
次に、ディスプレイ装置１００の電源スイッチ２が投入されてから通電モードとなるまでのディスプレイ装置１００の動作について説明する。
節電制御部２１が、第３のリレーｍｇ３のｂ接点２３を通して電源作成部７からの電源供給を受けられる状態の下で電源スイッチ２が投入されると、前述のように第２のリレーｍｇ２のｂ接点４は閉じられているので、交流入力端子１から供給される交流電源により第１のリレーｍｇ１のコイル３が動作し、これにより第１のリレーｍｇ１のａ接点５が閉じられ、交流入力端子１からの交流電源が整流器６を通して電源作成部７に供給され、電源作成部７では各種の制御電源が作成される。
電源作成部７で作成された制御電源は、表示部・表示制御部８、表示モード・パラメータ設定制御部２４に供給されるとともに、第３のリレーｍｇ３のｂ接点２３および逆流防止ダイオード２２を通して節電制御部２１に供給され、ディスプレイ装置による表示動作が可能な状態となる。ここで、節電制御部２１より電源オン時のリセット信号が送出され、各種のレジスタ類のセット、リセット、および初期値設定などが行われる。
コンピュータ本体２００（図２参照）からＶＧＡコネクタ９を介してビデオ信号Ｒ，Ｇ，Ｂ、水平同期信号ＨＳ、および垂直同期信号ＶＳが供給されると、節電制御部２１は、水平同期信号ＨＳおよび垂直同期信号ＶＳに基づき、節電モードに移行するか通電モードを継続するかの判定を行い、さらに節電復帰信号２５のレベルが、節電モードから通電モードへの復帰を指示しているか否かを判定する。この場合、節電復帰信号２５は前述のように０レベルであるので、節電制御部２１は節電モードから通電モードへの復帰ではないと判定し、表示モードを決定し、表示モード・パラメータ設定制御部２４を介して表示部・表示制御部８に最適表示パラメータを送出する。
表示部・表示制御部８には、ＶＧＡコネクタ９からビデオ信号、同期信号が供給されており、表示モード・パラメータ設定制御部２４から送出された最適表示パラメータに基づき表示部・表示制御部８は画像表示を行う。
次に、通電モードから節電モードへの切換え時のディスプレイ装置１００の動作について説明する。
コンピュータ本体２００（図２参照）では、予め設定された時間以上コンピュータが使用されなかった場合に、コンピュータ本体２００からの水平同期信号、垂直同期信号の双方の信号送出を停止することによって、ディスプレイ装置１００（図２参照）に対して通電モードから節電モードへの切換えを指示する。
なお、本実施形態では、コンピュータ本体２００からの節電モードへの切換えの指示は、水平同期信号および垂直同期信号の双方の信号送出の停止によるものとした例について説明するが、本発明は、この例に限定されるものではなく、水平同期信号または垂直同期信号のいずれか一方の信号送出の停止により節電モードへの切換えを指示するものとしてもよい。
従来のディスプレイ装置の場合は、コンピュータ本体から節電モードへの切換えの指示を受けると、ディスプレイ装置側では電源供給部から表示部・表示制御部への電源供給は停止させるが、電源供給部はオン状態のままで整流器、電源作成部を通して表示モード・パラメータ設定制御部や節電制御部に電源を供給し続ける。その状態で、水平同期信号・垂直同期信号の検出動作に入り、コンピュータ本体から通電モードへの復帰の指示が送られてくるのを待つようになっている。
本実施形態のディスプレイ装置１００においては、節電制御部２１は、コンピュータ本体１００からの水平同期信号・垂直同期信号の供給が停止したことを検出すると、コンピュータ本体から節電モードへの切換えの指示を受けたと判定し、＊ＰＳＣＬ信号を節電終了判定回路１４０の第１のフリップフロップ１０のセット端子Ｓに入力する。これにより第１のフリップフロップ１０の出力Ｑは１レベルに変化し、その結果、第１のトランジスタ１２はオン状態となり、第２のリレーｍｇ２のコイル１１が動作状態となることにより第２のリレーｍｇ２のｂ接点４が開かれる。
その結果、第１のリレーｍｇ１のコイル３が非動作状態となり、第１のリレーｍｇ１のａ接点５が開かれて整流器６以降の回路への電源の供給が遮断され節電モードに移行する。この状態では電源供給部１１０から供給される電力はゼロとなる。
ここで、第１のフリップフロップ１０の出力Ｑは１レベルとなるので、第１のＡＮＤゲート１３は、コンピュータ本体からＶＧＡコネクタ９を介して垂直同期信号ＶＳが送られてきた場合に、その垂直同期信号ＶＳを通過させて第２のフリップフロップ１５のクロック端子ＣＬに入力する。
ディスプレイ装置１００は、節電モードから通電モードへの復帰の指示がコンピュータ本体よりこない限り上記の状態を保持する。
次に、節電モードから通電モードへの復帰時のディスプレイ装置１００の動作について説明する。
コンピュータ本体２００（図２参照）が、何らかのイベント、例えばキーボードによる入力操作やマウスによるポインティング操作などを検出すると、コンピュータ本体２００からは、水平同期信号および垂直同期信号の双方を送出することにより、ディスプレイ装置１００に対して、節電モードから通電モードへの復帰を指示する。
従来のディスプレイ装置の場合は、節電制御部がコンピュータ本体からの通電モードへの復帰の指示を検出すると、節電モードから通電モードへの復帰と判定し、通電モードへの復帰動作を開始するように構成されている。
一方、本実施形態のディスプレイ装置においては、節電制御部２１には電力供給がなされていないので、ＶＧＡコネクタ９に水平同期信号ＨＳ、垂直同期信号ＶＳが到来しても、節電制御部２１は動作することはできない。そこで、本実施形態のディスプレイ装置１００では、節電終了判定回路１４０が、同期信号に基づき、節電モードから通電モードへの復帰であるか否かを節電制御部２１に替わって判定し、通電モードへの復帰と判定した場合は節電制御部２１をオン状態に復帰させる構成となっている。
すなわち、ＶＧＡコネクタ９にコンピュータ本体からの水平同期信号ＨＳ、垂直同期信号ＶＳが到来すると、この時の第１のフリップフロップ１０の出力Ｑは１レベルに保たれているので、節電終了判定回路１４０の第１のＡＮＤゲート１３は垂直同期信号ＶＳを通過させ、第２のフリップフロップ１５のクロック端子ＣＬに出力する。その結果、第２のフリップフロップ１５の出力Ｑは１レベルに変化し、第２のＡＮＤゲート１６に入力される。第２のＡＮＤゲート１６には水平同期信号ＨＳも入力されているので、第２のＡＮＤゲート１６の出力は第３のフリップフロップ１７のクロック端子ＣＬに入力され、第３のフリップフロップ１７の出力Ｑを１レベルに変化させる。第３のフリップフロップ１７の出力Ｑにより第２のトランジスタ１８がオンとなり、第３のリレーｍｇ３のコイル１９が動作状態となり第３のリレーｍｇ３のｂ接点２３が開かれ、第３のリレーｍｇ３のａ接点２０を閉じる。ここで、第３のフリップフロップ１７の出力Ｑは節電復帰信号２５として節電制御部２１にも入力されており、後述の節電モードから通電モードへの復帰時に判定信号として用いられる。
こうして、第３のリレーｍｇ３のａ接点２０が閉じられたことにより、節電制御部２１には、コンピュータ本体からＶＧＡコネクタ９を介して＋５Ｖの補助電源が供給され、節電制御部２１はオン状態に復帰する。また、第３のリレーｍｇ３のｂ接点２３が開かれたことと、逆流防止ダイオード２２の存在とにより、＋５Ｖの補助電源は節電制御部２１のみに供給される。
つまり、本実施形態のディスプレイ装置１００では、節電終了判定回路１４０は、通電モードへの復帰と判定した場合に、電源供給部１１０をオフ状態に維持したまま、補助電源によって節電制御部２１をオン状態に復帰させるように構成されている。また、本実施形態のディスプレイ装置１００では、節電制御部２１は、補助電源によってオン状態に復帰された場合に、同期信号に基づいて、節電モードから通電モードへ復帰するか否かを改めて判定し、通電モードへ復帰すると判定した場合には、電源供給部１１０をオン状態に復帰させ、節電モードを継続すると判定した場合には、補助電源によるオン状態への復帰を取り消すように構成されている。
すなわち、節電制御部２１は、第２のフリップフロップ１５、第３のフリップフロップ１７で構成される節電終了判定回路１４０による判定が正しい判定でなかった場合に、節電終了判定回路１４０をリセットして節電制御部２１のオン状態への復帰を取り消すための＊ＲＥＰＳ（リセットパワーセーブ）信号を出力するようになっている。
例えば、第３のフリップフロップ１７の出力Ｑが１レベルでも、節電制御部２１で水平同期信号・垂直同期信号を検出した後、所定の期間、一定レベルの水平同期信号・垂直同期信号が安定して供給されていない場合には、節電制御部２１は＊ＲＥＰＳ信号を送出する。＊ＲＥＰＳ信号を受けた節電終了判定回路１４０では、ＯＲゲート１４の出力により第２のフリップフロップ１５および第３のフリップフロップ１７がリセットされ、第２のトランジスタ１８がオフとなり、第３のリレーｍｇ３のコイル１９が非動作状態となり、第３のリレーｍｇ３のｂ接点２３が閉じられ、第３のリレーｍｇ３のａ接点２０が開かれる。これにより節電制御部２１のオン状態への復帰は取り消される。
一方、節電制御部２１は、水平同期信号・垂直同期信号が所定の期間、安定して供給されると、節電モードから通電モードへの完全な復帰を行うべきものと判定し、節電モードの終了を意味する＊ＰＳＥＮＤ信号を節電終了判定回路１４０に送出する。
＊ＰＳＥＮＤ信号が第１のフリップフロップ１０のリセット端子Ｒに入力されると、第１のフリップフロップ１０の出力Ｑは０レベルとなり、その結果、第１のトランジスタ１２をオフ状態とし、第２のリレーｍｇ２のコイル１１は非動作状態となることにより第２のリレーｍｇ２のｂ接点４が閉じられ、第１のリレーｍｇ１のａ接点５が閉じられて通電モードとなり、整流器６を通して交流電源が電源作成部７に供給され、電源作成部７では各種の制御電源が作成される。
この制御電源は、表示部・表示制御部８、表示モード・パラメータ設定制御部２４、第３のリレーｍｇ３のｂ接点２３、および逆流防止ダイオード２２を通して節電制御部２１に供給され、ディスプレイ装置による表示動作が可能となる。ここで、節電制御部２１より電源オン時のリセット信号が送出され、レジスタ類のセット、リセット、および初期値の設定が行われる。
＊ＰＳＥＮＤ信号はまた、ＯＲゲート１４を通して第３のフリップフロップ１７のリセット端子Ｒに入力され、第３のフリップフロップ１７の出力Ｑは０レベルとなる。その結果、第２のトランジスタ１８がオフ状態となり、第３のリレーｍｇ３のコイル１９が非動作状態となり第３のリレーｍｇ３のｂ接点２３が閉じられ、第３のリレーｍｇ３のａ接点２０は開かれる。その結果、コンピュータ本体からＶＧＡコネクタ９を介しての節電制御部２１への＋５Ｖの補助電源の供給は遮断される。
こうして、再びディスプレイ装置１００による画像表示が行われる。
このように、本実施形態のディスプレイ装置１００では、節電終了判定回路１４０が節電制御部２１に替わって通電モードへの復帰の指示を検出するので、節電モード時には節電制御部２１への電力供給を必要とせず、従って、節電モード時のディスプレイ装置の消費電力は従来の方式よりも大幅に減少する。
次に、本発明の節電制御装置について説明する。
図４は、本発明の節電制御装置の一実施形態を示す概略構成図である。
図４に示すように、この節電制御装置３３０は、コンピュータ本体２００から供給される画像信号に基づき画像表示を行う表示部３２０と、表示部３２０に電源を供給する電源供給部３１０とを有するディスプレイ装置３００における、節電時の電源供給を制御する装置であり、節電制御部３４０と、節電終了判定回路３５０とを備えている。
節電制御部３４０は、同期信号に基づいて、電源供給部３１０がオン状態にある通電モードと、電源供給部３１０がオフ状態にある節電モードとの切換えを制御するものであり、節電終了判定回路３５０は、コンピュータ本体２００から供給される周辺機器用の補助電源によって駆動され、同期信号に基づいて、節電モードから通電モードへ復帰するか否かを節電制御部３４０に替わって判定し、通電モードへ復帰すると判定した場合に、少なくとも節電制御部３４０をオン状態に復帰させるものである。この節電終了判定回路３５０は、節電制御部３４０よりも少ない消費電力で動作するように構成されている。
この節電制御部３４０および節電終了判定回路３５０は、図２および図３を参照して説明したディスプレイ装置１００における節電制御部１３０および節電終了判定回路１４０と同様の構成を有し、同様の動作を行うものであるので詳細な説明は省略する。
なお、上記の各実施形態では、節電終了判定回路を駆動するコンピュータ本体からの周辺機器用の補助電源として、ＶＧＡコネクタから供給される補助電源の例について説明したが、この例に限られるものではなく、例えば、ＵＳＢコネクタやＤＶＩ（Ｄｉｇｉｔａｌ  Ｖｉｓｕａｌ  Ｉｎｔｅｒｆａｃｅ）コネクタなどのインターフェースから補助電源を供給するようにしてもよい。
また、上記の各実施形態では、第１のリレーｍｇ１、第２のリレーｍｇ２、および第３のリレーｍｇ３として、コイルと接点とを有する機械式リレーを用いた例について説明したが、機械式リレーを用いる替わりに、サイリスタ、フォトカップラ等の半導体スイッチを用いてもよい。第１のフリップフロップ１０、第３のフリップフロップ１７の出力ＱはＴＴＬ論理出力であり、半導体スイッチの制御端子を直接、またはレベル変換により制御することができるからである。
また、第１のフリップフロップ１０、第３のフリップフロップ１７からのＴＴＬ論理出力を利用して整流器６を直接オン・オフするようにしてもよい。
なお、本実施形態における節電終了判定回路は、節電モードから通電モードへ復帰する際に、節電制御部のみをオン状態に復帰させる構成となっているが、例えば、装置全体をオン状態に復帰させるように構成してもよい。
【図１】
2004001716.tif 000003
【図２】
2004001716.tif 000004
【図３】
2004001716.tif 000005
【図４】
2004001716.tif 000006
【国際調査報告】
2004001716.tif 000007
2004001716.tif 000008